(57)【要約】【課題】貯湯タンク内を高温水室と低温水室に区分けすると共に、それぞれの容積を可変することで、沸き上げ中に低温水が混合することを防止して、温湯を迅速に沸き上げることができ、かつ安定した温度で給湯する。【解決手段】貯湯タンク２に発熱体３を設け、貯湯タンク内において横方向へ自在に移動可能な可動セパレータ４を備え、発熱体３側の高温水室ＨＲと、給水口５側の低温水室ＬＲの容積を可変しながら温水を沸き上げるときに、高温水室ＨＲの容積を徐々に拡げるように可動セパレータ４を給水口５側へ移動させる。【選択図】図３
2011220576.tif 000002
【特許請求の範囲】
【請求項１】
貯湯タンク（２）に発熱体（３）を設け、該貯湯タンク（２）内において横方向へ自在に移動可能な可動セパレータ（４）を備え、該可動セパレータ（４）を横方向へ移動させ、前記発熱体（３）側の高温水室（ＨＲ）と、給水口（５）側の低温水室（ＬＲ）の容積を可変しながら温水を沸き上げるタンク内の可動セパレータを用いた沸き上げ方法であって、
前記貯湯タンク（２）の高温水室（ＨＲ）内の温水を沸き上げる際に、その温水の温度が一定温度以上に上昇すると前記可動セパレータ（４）を前記給水口（５）側へ一定量移動させ、この動作を繰り返して、高温水室（ＨＲ）の容積を徐々に拡げる、ことを特徴とするタンク内の可動セパレータを用いた沸き上げ方法。
【請求項２】
前記貯湯タンク（２）の高温水室（ＨＲ）の温水を沸き上げる際に、前記可動セパレータ（４）を該貯湯タンク（２）の中間位置で停止させ、該貯湯タンク（２）内の一部の温水のみを沸き上げる、ことを特徴とする請求項１のタンク内の可動セパレータを用いた沸き上げ方法。
【請求項３】
前記貯湯タンク（２）の高温水室（ＨＲ）の温水を沸き上げる際に、該高温水室（ＨＲ）の温水のみを攪拌しながら沸き上げる、ことを特徴とする請求項１又は２のタンク内の可動セパレータを用いた沸き上げ方法。
【請求項４】
貯湯タンク（２）に設けた発熱体（３）及び給湯排出口（６）と、
前記貯湯タンク（２）の下部に設けた給水口（５）と、
前記貯湯タンク（２）内における前記発熱体（３）側の高温水室（ＨＲ）と、前記給水口（５）側の低温水室（ＬＲ）の容積を可変自在に仕切るために、該貯湯タンク（２）内において横方向へ移動自在に設けた可動セパレータ（４）と、
前記貯湯タンク（２）一端側の上層の温湯を吸上口（１６）で吸い上げ、この吸い上げた温湯を、該貯湯タンク（２）の下層の温湯に吐出口（１８）から吐き出し、又はこの逆方向にも吐き出して混合できる撹拌装置（１５）と、を備えた、ことを特徴とする可動セパレータ付き横型電気温水器。
【請求項５】
前記撹拌装置（１５）に、貯湯タンク（２）の高温水室（ＨＲ）側の下部から、該貯湯タンク（２）内において横方向へ伸縮自在になる伸縮パイプ（３１）を更に設けた、ことを特徴とする請求項４の可動セパレータ付き横型電気温水器。
【発明の詳細な説明】
【技術分野】
【０００１】
本発明は、集合住宅又は戸建住宅等に設置される横型の貯湯タンクを有する貯湯式電気温水器に係り、特に貯湯タンク内を高温水室と低温水室の容積をセパレータで自由に変えながら湯を沸き上げるタンク内の可動セパレータを用いた沸き上げ方法及びその横型電気温水器に関する。
【背景技術】
【０００２】
従来から、貯湯タンク式の電気温水器は、電気料金の安い夜間電力を利用して沸かした温水を貯湯タンクに貯蔵しておき、昼間のピーク時にその温水を使用するものである。このような電気温水器は住宅用に多く使用されている。
【０００３】
貯湯タンクには、大きく分類して、「縦型の貯湯タンク」と「横型の貯湯タンク」の２種類がある。図１１に示すような、縦型の貯湯タンク式電気温水器５１は、加熱装置５２となるニクロム線を銅管に収め、またはニクロム線と銅管の間にアルミナのような熱の伝導体を詰めたものを用い、堅牢な鋼板製の貯湯タンク５３の中に装置したものである。その給湯温度は、サーモスタットにより一定に維持するようになっている。この「縦型の貯湯タンク」は、建物のデッドスペースを有効に活用できるという特徴がある。
【０００４】
また、図１２に示すような横型の貯湯タンク式電気温水器６１も、縦型の貯湯タンク式電気温水器５１と同様に加熱装置６２を横長の貯湯タンク６３の中に装置したものである。
【０００５】
横型のタンクを具備した電気温水器に関する技術としては、例えば特許文献１の特開平０８−２１９５４６号公報「熱湯貯湯式横型電気温水器」のように、屋根裏、階段の下、床下等、通常用いられていない上下寸法の狭いデッドスペースに設置でき、通電開始後より早く高温の熱湯を取り出すことができる熱湯貯湯式横型電気温水器が提案されている。
【特許文献１】特開平０８−２１９５４６号公報
【発明の開示】
【発明が解決しようとする課題】
【０００６】
しかし、横型の貯湯タンク式電気温水器６１は、縦型の貯湯タンク５３ように水温層（上部高温、下部低温の層）に厚さが取れず、各層が薄く、層間の接触面積が大きいものであった。図１２に示すように、高温水層と低温水層との上下層が明確に形成されず、給湯中即ち給水中にこの上下層が乱れやすかった。このため、横型の貯湯タンク６３では、上部の温度が早く下がるため、縦型に比べ高温水を有効に使用できないという問題を有していた。
【０００７】
また、特許文献１の「熱湯貯湯式横型電気温水器」は、加熱部内の水のみがヒーターで加熱されるので、ごく短時間に加熱部内の湯温を上昇させることができるが、貯湯タンク内を分離板で加熱部と貯溜部とに区分けしただけで、大量に給湯する場合には対応できないという問題を有していた。
【０００８】
本発明は、かかる問題点を解決するために創案されたものである。すなわち、本発明の目的は、貯湯タンク内を高温水室と低温水室に区分けすると共に、それぞれの容積を可変することで、沸き上げ中に低温水が混合することを防止して、温湯を迅速に沸き上げることができ、かつ安定した温度で給湯できるタンク内の可動セパレータを用いた沸き上げ方法及びその横型電気温水器を提供することにある。
【課題を解決するための手段】
【０００９】
本発明の沸き上げ方法は、貯湯タンク（２）に発熱体（３）を設け、該貯湯タンク（２）内において横方向へ自在に移動可能な可動セパレータ（４）を備え、該可動セパレータ（４）を横方向へ移動させ、前記発熱体（３）側の高温水室（ＨＲ）と、給水口（５）側の低温水室（ＬＲ）の容積を可変しながら温水を沸き上げるタンク内の可動セパレータを用いた沸き上げ方法であって、前記貯湯タンク（２）の高温水室（ＨＲ）内の温水を沸き上げる際に、その温水の温度が一定温度以上に上昇すると前記可動セパレータ（４）を前記給水口（５）側へ一定量移動させ、この動作を繰り返して、高温水室（ＨＲ）の容積を徐々に拡げる、ことを特徴とする。
前記貯湯タンク（２）の高温水室（ＨＲ）の温水を沸き上げる際に、前記可動セパレータ（４）を該貯湯タンク（２）の中間位置で停止させ、該貯湯タンク（２）内の一部の温水のみを沸き上げることができる。
前記貯湯タンク（２）の高温水室（ＨＲ）の温水を沸き上げる際に、該高温水室（ＨＲ）の温水のみを攪拌しながら沸き上げることが好ましい。
【００１０】
本発明の横型電気温水器は、貯湯タンク（２）に設けた発熱体（３）及び給湯排出口（６）と、前記貯湯タンク（２）の下部に設けた給水口（５）と、前記貯湯タンク（２）内における前記発熱体（３）側の高温水室（ＨＲ）と、前記給水口（５）側の低温水室（ＬＲ）の容積を可変自在に仕切るために、該貯湯タンク（２）内において横方向へ移動自在に設けた可動セパレータ（４）と、前記貯湯タンク（２）一端側の上層の温湯を吸上口（１６）で吸い上げ、この吸い上げた温湯を、該貯湯タンク（２）の下層の温湯に吐出口（１８）から吐き出し、又はこの逆方向にも吐き出して混合できる撹拌装置（１５）と、を備えた、ことを特徴とする。
前記撹拌装置（１５）に、貯湯タンク（２）の高温水室（ＨＲ）側の下部から、該貯湯タンク（２）内において横方向へ伸縮自在になる伸縮パイプ（３１）を更に設けることが好ましい。
【発明の効果】
【００１１】
本発明の沸き上げ方法では、貯湯タンク（２）内の温水が沸き上げる際に、可動セパレータ（４）を給水口（５）側へずらして高温水室（ＨＲ）の容積を徐々に拡げ、沸き上げた高温水と給水後の低温水とを混合させない。これにより、安定した温度の高温水を給湯することができる。更に貯湯タンク（２）内の一部のみの湯量を沸き上げることも選択でき、少ない量の沸き上げが可能で、より迅速に沸き上げることができる。
更に、可動セパレータ（４）を貯湯タンク（２）内で移動させながら沸き上げることで、沸き上げ中でも劣化しない熱い湯が使用できる。また、炊き上げ中に給湯が必要なければ、必要な沸き上げ容量になる位置まで一気に可動セパレータ（４）を移動させてから炊き上げることも可能である。
【００１２】
本発明の横型電気温水器では、給水した低温水は、先ず可動セパレータ（４）で仕切られた低温水室（ＬＲ）へ供給され、沸き上げた高温水に混ざらないため、沸き上げた高温水の温度が不安定にならない。高温水室（ＨＲ）側に撹拌装置（１５）を設けた貯湯タンク（２）では、迅速に温湯を高温水に短時間で沸き上げることができる。
【図面の簡単な説明】
【００１３】
【図１】本発明のタンク内の可動セパレータを用いた沸き上げ方法を実施する横型電気温水器を示す正断面図である。
【図２】可動セパレータの一例を示し、（ａ）は左側面図、（ｂ）は拡大正断面図である。
【図３】本発明の沸き上げ方法を説明する横型電気温水器の正断面図であり、（ａ）は加熱初期の状態、（ｂ）は加熱しながら可動セパレータを移動させる状態、（ｃ）は更に可動セパレータを移動させる状態、（ｄ）は可動セパレータを停止し、タンク内を保温している状態である。
【図４】貯湯タンク内の一部の温水を攪拌しつつ、沸き上げる状態を示す横型電気温水器の正断面図である。
【図５】貯湯タンク内の全部の温水を攪拌しつつ、沸き上げる状態を示す横型電気温水器の正断面図である。
【図６】発熱体の変形例を示す横型電気温水器の正断面図である。
【図７】貯湯タンクの形状の変形例を示す横型電気温水器の平断面図である。
【図８】実施例２の貯湯タンク内の一部の温水を伸縮自在になる吐出パイプを用いて攪拌しつつ、沸き上げる状態を示す横型電気温水器の正断面図である。
【図９】実施例２の貯湯タンク内の全部の温水を伸縮自在になる吐出パイプを用いて攪拌しつつ、沸き上げる状態を示す横型電気温水器の正断面図である。
【図１０】外部加熱式の発熱体の変形例を示す横型電気温水器の正断面図である。
【図１１】従来の縦型の貯湯タンク式電気温水器を示す正断面図である。
【図１２】従来の横型の貯湯タンク式電気温水器を示す正断面図である。
【発明を実施するための最良の形態】
【００１４】
本発明のタンク内の可動セパレータを用いた沸き上げ方法は、貯湯タンク内で可動セパレータを横方向へ移動させ、発熱体側の高温水室と、給水口側の低温水室の容積を可変しながら温湯を沸き上げる方法である。
【実施例１】
【００１５】
以下、本発明の好ましい実施の形態を図面を参照して説明する。
図１は本発明のタンク内の可動セパレータを用いた沸き上げ方法を実施する横型電気温水器を示す正断面図である。図２は可動セパレータの一例を示し、（ａ）は左側面図、（ｂ）は拡大正断面図である。
本発明のタンク内の可動セパレータを用いた沸き上げ方法を実施する横型電気温水器１は、横長に形成した貯湯タンク２内にその横方向の一端側に、電気料金の安い夜間電力を利用して湯を沸き上げるための発熱体３を設けた。更に、本発明の貯湯タンク２には、その横方向へ自在に移動できる可動セパレータ４を設けた。この可動セパレータ４は、貯湯タンク２内における発熱体３側の高温水室ＨＲと、水を供給する給水口５側の低温水室ＬＲとに仕切る機能を有する。
【００１６】
横長に形成した貯湯タンク２は、所定量の温水を貯蔵できるように、全体を横向きの略円筒形状に形成し、その周囲に真空断熱材等の断熱材を貼り付けたものである。この断熱材は、１３時間放置後の温度低下が２０度未満を満足する程度の素材が必要である。略円筒形状の貯湯タンク２に代えて六角柱、八角柱等の略多角柱形状のような横長に形成したタンクも利用することができる
【００１７】
この貯湯タンク２は、堅牢な鋼板により製造する。あるいは、合成樹脂製のブロー成型により製造する。例えば、ＰＰＥ（ポリフェノールエチレン）等の合成樹脂材を用いる。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１８】
横長に形成した貯湯タンク２の横方向の一端側の上部に給湯排出口６を設けた。また、給水口５は、貯湯タンク２の横方向の他端側（図１の図示上右側）の下部に設けた。なお、給水口５はこの下部以外に、貯湯タンク２他端側の上下方向における中間位置、上部位置に設けることも可能である。給湯排出口６と給水口５共に上部位置というレイアウトの
自由度が高い。貯湯タンク２の建物内における配置場所、又は給水管、給湯管の配管方向に応じてレイアウトを可変できる。
【００１９】
給水口５に接続する給水管に空気抜き弁（図示せず）を設けて貯湯タンク２内に流入する冷水に泡、気泡を除去する構造とすることが望ましい。泡、気泡は水流を撹乱し、界面の平準化を阻害するからである。
【００２０】
可動セパレータ４は、横長の貯湯タンク２の横方向へ自在に移動し得る構成である。図１の図示上における左右両方向へ移動可能に構成した。例えば、横長に形成した貯湯タンク２のときは、その長手方向に移動させる。この可動セパレータ４は、貯湯タンク２内における発熱体３（図示上の左側）側の高温水室ＨＲと、給水口５（図示上の右側）側の低温水室ＬＲの容積を可変し得るように仕切る。
【００２１】
可動セパレータ４は、横長の貯湯タンク２が円筒形状であれば、その輪切りにした状態の形状、即ち円盤状の部材である。この可動セパレータ４は、低温水室ＬＲの冷水を高温水室ＨＲへ送る機能を併せ持つ。
【００２２】
可動セパレータ４は、図２（ａ）、（ｂ）に示すように、貯湯タンク２の内径壁面に密着するように外径形状を形成し、かつ断熱材から成るセパレータ本体７と、セパレータ本体７内に設けた、低温水室ＬＲ側から低温水を高温水室ＨＲ側へ送る水路８とから成る。可動セパレータ４の冷水取入口９は、可動セパレータ４の上部に設ける。給水口５から少しでも遠くの位置に形成し、貯湯タンク２内においてある程度加温された冷水を高温水室ＨＲ側へ送るためである。また、冷水取出口１０は、可動セパレータ４の下部に設ける。高温水室ＨＲで加熱された温湯に冷水が直ぐに混ざらないようにするためである。
【００２３】
可動セパレータ４は、セパレータ本体７の中心に、ねじ切りを形成した貫通孔１１を開け、このねじ切りと螺合するねじ山を形成した駆動軸１２を貯湯タンク２の横方向に配置し、駆動軸１２をモータ１３で回動することにより、セパレータ本体７が貯湯タンク２内を移動するように構成した（スピンドル方式）。このセパレータ本体７が貯湯タンク２内で駆動軸１２と共に回転しない構造にする。例えば、貯湯タンク２の横方向にガイドを形成し、このガイドに可動セパレータ４を沿わせる構造にする。
【００２４】
可動セパレータ４を貯湯タンク２で自在に移動させる構成は、このスピンドル方式に限定されない。例えば、駆動軸１２の回転に代えて、ワイヤーを用いて移動させる構成もある（図示していない）。更に、ベルト駆動方式又はチェーン駆動方式などにより駆動することができる。
【００２５】
図３は本発明の沸き上げ方法を説明する横型電気温水器の正断面図であり、（ａ）は加熱初期の状態、（ｂ）は加熱しながら可動セパレータを移動させる状態、（ｃ）は更に可動セパレータを移動させる状態、（ｄ）は可動セパレータを停止し、タンク内を保温している状態である。
このように構成した横型電気温水器１で湯を沸かす方法を図３に基づき説明する。先ず、図３（ａ）は沸き上げ前の状態、加熱初期の状態を示す。横型電気温水器１の貯湯タンク２の可動セパレータ４は、発熱体３に最も近づけた位置に配置する。即ち、高温水室ＨＲの容積を最小にした状態で内部の低温水を発熱体３で加熱する。短時間で高温水に沸き上げるためである。
【００２６】
図３（ｂ）は沸き上げつつ、可動セパレータ４を移動させる状態を示す。高温水室ＨＲの湯を発熱体３で加熱し、その温水の温度が一定温度以上に上昇し、例えば８０℃といった所定温度の高温水になったら、可動セパレータ４を低温水室ＬＲ側へ一定量移動させ、
この動作を繰り返して、高温水室ＨＲの容積を徐々に拡大する。この可動セパレータ４を低温水室ＬＲ側へ移動させることにより、低温水室ＬＲ側の低温水が可動セパレータ４の水路８から高温水室ＨＲへ送られる。この低温水は発熱体３で加熱され、徐々に高温水室ＨＲの温湯の湯量を増大させていく。
【００２７】
この可動セパレータ４を移動させるときは、例えば高温水室ＨＲの温度上昇を検知し、その検知結果に応じて可動セパレータ４を移動させる。図２に示すように、可動セパレータ４の高温水室ＨＲ側に湯温センサ１４を取り付け、これで低温水室ＬＲから低温水の流入を検知し、可動セパレータ４を移動させる。
【００２８】
可動セパレータ４を駆動するモータ１３の制御方法の一例を次に示す。この可動セパレータ４のモータ１３を駆動する時間（ＴＯＮ）は、数１に示す数式のようになり、また、このモータ１３を駆動しない時間（ＴＯＦＦ）は、数１に示す数式のようになる。モータ１３を駆動する時間（ＴＯＮ）は、数２に示す数式のようにすることもできる。更に、可変速モータを使用するときは、数３に示す数式のようになる。
【００２９】
【数１】
2011220576.tif 000003
【００３０】
【数２】
2011220576.tif 000004
【００３１】
【数３】
2011220576.tif 000005
【００３２】
図３（ｃ）は沸き上げつつ、可動セパレータ４を移動させる状態を示す。高温水室ＨＲ内にある程度の温湯が沸き上がってきたら、貯湯タンク２の内部を効率よく撹拌する。この撹拌の際に可動セパレータ４は、沸き上げた高温水と低温水とを混合させない作用があり、安定した温度の給湯が可能である。
【００３３】
図３（ｄ）は可動セパレータ４を停止し、貯湯タンク２内を保温状態にしていることを
示す。横長の貯湯タンク２内の一部の湯量のみを沸きあげることにより、熱損失を低減させ、熱エネルギーの利用効率を高める。勿論、可動セパレータ４を横長の貯湯タンク２内の全量を加熱することもできる。
【００３４】
本発明のタンク内の可動セパレータ４を用いた沸き上げ方法は、貯湯タンク２内で可動セパレータ４を移動させながら沸き上げることで、沸き上げ中でも劣化しない熱い湯が使用できる。なお、沸き上げ時間帯に高温水を使う予定がないときは、予め可動セパレータ４を必要量の湯量になるように、貯湯タンク２内を移動させてから沸き上げることも勿論可能である。
【００３５】
図４は貯湯タンク内の一部の温水を攪拌しつつ、沸き上げる状態を示す横型電気温水器の正断面図である。図５は貯湯タンク内の全部の温水を攪拌しつつ、沸き上げる状態を示す横型電気温水器の正断面図である。
本発明では、横長の貯湯タンク２内を可動セパレータ４で仕切り、高温水室ＨＲの容積を小さくして効率よく加熱するだけではなく、その高温水室ＨＲ内を撹拌することで、より更に迅速に沸き上げる。図４に示すように、貯湯タンク２内の一部の温水を沸き上げる際にも撹拌装置１５で攪拌する。この撹拌装置１５は、貯湯タンク２一端側の上層の温湯を吸上口１６で吸い上げ、この吸い上げた温湯を、ポンプ１７により貯湯タンク２下部の吐出口１８から吐き出し、又はこの逆方向にも吐き出して混合する。特に、図５に示すように、貯湯タンク２内の全部の温水を沸き上げる際には、この撹拌装置１５での攪拌が有効に作用する。
【００３６】
図６は発熱体の変形例を示す横型電気温水器の正断面図である。
発熱体４は必ずしも貯湯タンク２内に設ける必要はない。図示例のように、貯湯タンク２の外部に外部発熱体１９を設けることができる。例えば撹拌装置１５に外部発熱体１９を接続し、貯湯タンク２内の温湯を加熱しながら循環することができる。
【００３７】
図７は貯湯タンクの形状の変形例を示す横型電気温水器の平断面図である。
本発明の可動セパレータ付き横型電気温水器１は、建物内における配置場所に応じて、貯湯タンク２を略立方体形状又は略直方体形状に形成することができる。例えば図示のように平面視で略正方形状になる貯湯タンク２内にも可動セパレータ４を設け、この可動セパレータ４を横方向へ自在に移動させる。この変形例の可動セパレータ４も、貯湯タンク２内において、発熱体３側の高温水室ＨＲと、水を供給する給水口５側の低温水室ＬＲとに仕切り、かつそれぞれの容積を可変させる機能がある。
【実施例２】
【００３８】
図８は実施例２の貯湯タンク内の一部の温水を伸縮自在になる吐出パイプを用いて攪拌しつつ、沸き上げる状態を示す横型電気温水器の正断面図である。図９は実施例２の貯湯タンク内の全部の温水を伸縮自在になる吐出パイプを用いて攪拌しつつ、沸き上げる状態を示す横型電気温水器の正断面図である。
実施例２の横型電気温水器１では、撹拌装置１５に、貯湯タンク２の高温水室ＨＲ側の下部から、貯湯タンク２の横方向へ伸縮自在になる伸縮パイプ３１を更に設けた。この撹拌装置１５は、可動セパレータ４の移動に伴って伸縮パイプ３１の吐出口３２も移動するようにした。この撹拌装置１５は上述したように、吸上口１６で温湯を吸い上げ、これをポンプ１７により伸縮パイプ３１へ送る。三方弁３３で吐出口１８への流路を閉止する。この伸縮パイプ３１は貯湯タンク２内の全部の温水を加熱する際、又は高温水室ＨＲの容積を拡げているときに有効になる。
【００３９】
図１０は外部加熱式の発熱体の変形例を示す横型電気温水器の正断面図である。
実施例２においても、発熱体４は必ずしも貯湯タンク２内に設ける必要はない。図示例
のように、撹拌装置１５に外部発熱体１９を接続し、貯湯タンク２内の温湯を加熱しながら循環することができる。
【００４０】
なお、本発明は上述した発明の実施の形態に限定されず、貯湯タンク２内を高温水室ＨＲと低温水室ＬＲとに区分けすると共に、それぞれの容積を可変することで、沸き上げ中に低温水が混合することを防止して、温湯を迅速に沸き上げることができ、かつ安定した温度で給湯できる構成であれば、図示したような構成に限定されず、本発明の要旨を逸脱しない範囲で種々変更できることは勿論である。
【産業上の利用可能性】
【００４１】
本発明のタンク内の可動セパレータを用いた沸き上げ方法及びその横型電気温水器は、家庭用温水器に利用するだけでなく、業務用の大型の貯湯タンクを有する横型電気温水器においても利用することができる。
【符号の説明】
【００４２】
１  横型電気温水器
２  貯湯タンク
３  発熱体
４  可動セパレータ
５  給水口
１５  撹拌装置
１６  撹拌装置の吸上口
１８  撹拌装置の吐出口
３１  伸縮パイプ
ＨＲ  高温水室
ＬＲ  低温水室
【図１】
2011220576.tif 000006
【図２】
2011220576.tif 000007
【図３】
2011220576.tif 000008
【図４】
2011220576.tif 000009
【図５】
2011220576.tif 000010
【図６】
2011220576.tif 000011
【図７】
2011220576.tif 000012
【図８】
2011220576.tif 000013
【図９】
2011220576.tif 000014
【図１０】
2011220576.tif 000015
【図１１】
2011220576.tif 000016
【図１２】
2011220576.tif 000017